(57)【要約】      （修正有）【課題】第一コイルと第二コイルとの間の磁気結合を高めることが可能な積層コモンモードフィルタを提供する。【解決手段】第一コイルＣ１と第二コイルＣ２とは、第一コイル導体２１と第三コイル導体２３とが積層方向で互いに隣り合い且つ第二コイル導体２２と第四コイル導体２４とが積層方向で互いに隣り合うように、複数の非磁性体層が積層された非磁性体部３内に配置されている。非磁性体部３における第一コイルＣ１及び第二コイルＣ２の内側に位置する部分Ｒは、積層方向から見て互いに隣り合う第一領域部分Ｒ１と第二領域部分Ｒ２とを含んでいる。第一スルーホール導体５１と第二スルーホール導体５２とは、積層方向から見て、互いに隣り合うように第一領域部分Ｒ１に位置している。磁性材料からなる磁性芯部６１は、積層方向から見て、第二領域部分Ｒ２に位置している。【選択図】図２
2014135361.tif 000002
【特許請求の範囲】
【請求項１】
複数の非磁性体層が積層された非磁性体部を有する素体と、
渦巻き状の第一及び第二コイル導体を有し、前記第一コイル導体と前記第二コイル導体とが第一スルーホール導体により接続されることにより構成される第一コイルと、
渦巻き状の第三及び第四コイル導体を有し、前記第三コイル導体と前記第四コイル導体が第二スルーホール導体により接続されることにより構成される第二コイルと、
前記複数の非磁性体層の積層方向から見て前記第一コイル及び前記第二コイルの内側に位置するように前記非磁性体部内に配置され、磁性材料からなる磁性芯部と、を備え、
前記第一コイルと前記第二コイルとは、前記第一コイル導体と前記第三コイル導体とが前記積層方向で互いに隣り合い且つ前記第二コイル導体と前記第四コイル導体とが前記積層方向で互いに隣り合うように、前記非磁性体部内に配置され、
前記非磁性体部における前記第一コイル及び前記第二コイルの内側に位置する部分は、前記積層方向から見て互いに隣り合う第一領域部分と第二領域部分とを含んでおり、
前記第一スルーホール導体と前記第二スルーホール導体とは、前記積層方向から見て、互いに隣り合うように前記第一領域部分に位置しており、
前記磁性芯部は、前記積層方向から見て、前記第二領域部分に位置していることを特徴とする積層コモンモードフィルタ。
【請求項２】
前記素体は、略直方体形状を呈し、
前記非磁性体部における前記第一コイル及び前記第二コイルの内側に位置する前記部分は、前記積層方向から見て、前記素体の長手方向に延びた形状を呈しており、
前記第一スルーホール導体と前記第二スルーホール導体とは、前記積層方向から見て、前記長手方向に並ぶように位置していることを特徴とする請求項１に記載の積層コモンモードフィルタ。
【請求項３】
前記素体は、磁性材料からなり且つ前記非磁性体部を前記積層方向で挟むよう配置された一対の磁性体部を更に有することを特徴とする請求項１又は２に記載の積層コモンモードフィルタ。
【請求項４】
前記第一コイルと前記第二コイルとは、更に前記第二コイル導体と前記第三コイル導体とが前記積層方向で互いに隣り合うように、前記非磁性体部内に配置されていることを特徴とする請求項１〜３のいずれか一項に記載の積層コモンモードフィルタ。
【発明の詳細な説明】
【技術分野】
【０００１】
本発明は、積層コモンモードフィルタに関する。
【背景技術】
【０００２】
積層コモンモードフィルタとして、複数の非磁性体層が積層された非磁性体部を有する素体と、スルーホール導体により接続された渦巻き状の一対のコイル導体により構成される第一コイルと、スルーホール導体により接続された渦巻き状の一対のコイル導体により構成される第二コイルと、複数の非磁性体層の積層方向から見て第一及び第二コイルの内側に位置するように非磁性体部内に配置され、磁性材料からなる磁性芯部と、を備えたものが知られている（たとえば、特許文献１参照）。
【先行技術文献】
【特許文献】
【０００３】
【特許文献１】特開２０１２−１２４４７０号公報
【発明の概要】
【発明が解決しようとする課題】
【０００４】
しかしながら、特許文献１に記載された積層コモンモードフィルタでは、以下のような問題点が生じる懼れがある。特許文献１に記載された積層コモンモードフィルタでは、第一コイルにおけるスルーホール導体と第二コイルにおけるスルーホール導体とが、磁性芯部を挟んで配置されている。このため、第一コイルにおけるスルーホール導体と第二コイルにおけるスルーホール導体とが離れて位置することとなり、スルーホール導体同士が磁気的に結合し難く、第一コイルと第二コイルとの間の磁気結合が低下する懼れがある。
【０００５】
本発明は、第一コイルと第二コイルとの間の磁気結合を高めることが可能な積層コモンモードフィルタを提供することを目的とする。
【課題を解決するための手段】
【０００６】
本発明に係る積層コモンモードフィルタは、複数の非磁性体層が積層された非磁性体部を有する素体と、渦巻き状の第一及び第二コイル導体を有し、第一コイル導体と第二コイル導体とが第一スルーホール導体により接続されることにより構成される第一コイルと、渦巻き状の第三及び第四コイル導体を有し、第三コイル導体と第四コイル導体が第二スルーホール導体により接続されることにより構成される第二コイルと、複数の非磁性体層の積層方向から見て第一コイル及び第二コイルの内側に位置するように非磁性体部内に配置され、磁性材料からなる磁性芯部と、を備え、第一コイルと第二コイルとは、第一コイル導体と第三コイル導体とが積層方向で互いに隣り合い且つ第二コイル導体と第四コイル導体とが積層方向で互いに隣り合うように、非磁性体部内に配置され、非磁性体部における第一コイル及び第二コイルの内側に位置する部分は、積層方向から見て互いに隣り合う第一領域部分と第二領域部分とを含んでおり、第一スルーホール導体と第二スルーホール導体とは、積層方向から見て、互いに隣り合うように第一領域部分に位置しており、磁性芯部は、積層方向から見て、第二領域部分に位置していることを特徴とする。
【０００７】
本発明に係る積層コモンモードフィルタでは、非磁性体部における第一コイル及び第二コイルの内側に位置する部分は、積層方向から見て互いに隣り合う第一領域部分と第二領域部分とを含んでいる。積層方向から見て、第一スルーホール導体と第二スルーホール導体とは、互いに隣り合うように第一領域部分に位置し、磁性芯部は、第二領域部分に位置している。このため、第一スルーホール導体と第二スルーホール導体との間の距離が短く、第一スルーホール導体と第二スルーホール導体とが磁気的に結合し易い。この結果、本発明によれば、第一コイルと第二コイルとの間の磁気結合を高めることができる。
【０００８】
素体は、略直方体形状を呈し、非磁性体部における第一コイル及び第二コイルの内側に位置する部分は、積層方向から見て、素体の長手方向に延びた形状を呈しており、第一スルーホール導体と第二スルーホール導体とは、積層方向から見て、長手方向に並ぶように位置していてもよい。この場合、各スルーホール導体と各コイル導体との短絡を防ぎつつ、第一スルーホール導体と第二スルーホール導体とを容易に近づけて配置することができる。この結果、第一コイルと第二コイルとの間の磁気結合をより一層高めることができる。
【０００９】
素体は、磁性材料からなり且つ非磁性体部を積層方向で挟むよう配置された一対の磁性体部を更に有していてもよい。この場合、第一コイルと第二コイルとの間の磁気結合をより一層高めることができる。
【００１０】
第一コイルと第二コイルとは、更に第二コイル導体と第三コイル導体とが積層方向で互いに隣り合うように、非磁性体部内に配置されていてもよい。この場合、第一コイル導体と第三コイル導体との間及び第二コイル導体と第四コイル導体との間だけでなく、第二コイル導体と第三コイル導体との間でも磁気的な結合が図られることとなり、第一コイルと第二コイルとの間の磁気結合をより一層高めることができる。
【発明の効果】
【００１１】
本発明によれば、第一コイルと第二コイルとの間の磁気結合を高めることが可能な積層コモンモードフィルタを提供することができる。
【図面の簡単な説明】
【００１２】
【図１】本実施形態に係る積層コモンモードフィルタを示す斜視図である。
【図２】素体の断面構成を説明するための図である。
【図３】素体の構成を示す分解斜視図である。
【図４】第一コイル導体を示す平面図である。
【図５】第二コイル導体を示す平面図である。
【図６】第三コイル導体を示す平面図である。
【図７】第四コイル導体を示す平面図である。
【発明を実施するための形態】
【００１３】
以下、添付図面を参照して、本発明の好適な実施形態について詳細に説明する。なお、説明において、同一要素又は同一機能を有する要素には、同一符号を用いることとし、重複する説明は省略する。
【００１４】
図１〜図３を参照して、本実施形態に係る積層コモンモードフィルタＣＦの構成を説明する。図１は、本実施形態に係る積層コモンモードフィルタを示す斜視図である。図２は、素体の断面構成を説明するための図である。図３は、素体の構成を示す分解斜視図である。
【００１５】
積層コモンモードフィルタＣＦは、図１〜図３に示されるように、素体１と、素体１の外表面に配置される第一〜第四端子電極１１〜１４と、を備えている。  素体１は、非磁性体部３と、素体１の高さ方向で非磁性体部３を挟むように配置された一対の磁性体部５と、を有している。
【００１６】
素体１は、略直方体形状を呈している。素体１は、その外表面として、互いに対向する略長方形状の第一及び第二主面１ａ，１ｂと、互いに対向する第一及び第二側面１ｃ，１ｄと、互いに対向する第三及び第四側面１ｅ，１ｆと、を有している。素体１の長手方向は、第三側面１ｅと第四側面１ｆとの対向方向である。素体１の幅方向は、第一側面１ｃと第二側面１ｄとの対向方向である。素体１の高さ方向は、第一主面１ａと第二主面１ｂとの対向方向である。
【００１７】
素体１の長手方向の長さ（Ｌ）は、たとえば、０．３〜２．０ｍｍ程度に設定される。素体１の幅方向の長さ（Ｗ）は、たとえば、０．２〜１．２ｍｍ程度に設定される。素体１の高さ方向の長さ（Ｈ）は、たとえば、０．１〜１．０ｍｍ程度に設定される。積層コモンモードフィルタＣＦは、小型低背の積層コモンモードフィルタである。
【００１８】
第一及び第二側面１ｃ，１ｄは、第一及び第二主面１ａ，１ｂの間を連結するように第一主面１ａと第二主面１ｂとの対向方向に延びている。第一及び第二側面１ｃ，１ｄは、第三側面１ｅと第四側面１ｆとの対向方向（第一及び第二主面１ａ，１ｂの長辺方向）にも延びている。第三及び第四側面１ｅ，１ｆは、第一及び第二主面１ａ，１ｂの間を連結するように第一主面１ａと第二主面１ｂとの対向方向に延びている。第三及び第四側面１ｅ，１ｆは、第一側面１ｃと第二側面１ｄとの対向方向（第一及び第二主面１ａ，１ｂの短辺方向）にも延びている。
【００１９】
素体１は、非磁性体部３と、素体１の高さ方向で非磁性体部３を挟むように配置された一対の磁性体部５と、を有している。非磁性体部３では、図３にも示されるように、複数の非磁性体層４が積層されている。すなわち、非磁性体部３は、積層された複数の非磁性体層４により構成されている。本実施形態では、非磁性体部３は、５層の非磁性体層４により構成されている。各磁性体部５では、図３にも示されるように、複数の磁性体層６が積層されている。すなわち、磁性体部５は、積層された複数の磁性体層６により構成されている。
【００２０】
各非磁性体層４は、たとえば非磁性材料（Ｃｕ−Ｚｎ系フェライト材料、誘電体材料、又はガラスセラミック材料など）を含むセラミックグリーンシートの焼結体から構成される。各磁性体層６は、たとえば磁性材料（Ｎｉ−Ｃｕ−Ｚｎ系フェライト材料、Ｎｉ−Ｃｕ−Ｚｎ−Ｍｇ系フェライト材料、又はＮｉ−Ｃｕ系フェライト材料など）を含むセラミックグリーンシートの焼結体から構成される。実際の素体１では、各非磁性体層４及び各磁性体層６は、層間の境界が視認できない程度に一体化されている。素体１の高さ方向、すなわち第一主面１ａと第二主面１ｂとの対向方向は、複数の非磁性体層４の積層方向及び複数の磁性体層６の積層方向（以下、単に「積層方向」と称する。）と一致する。
【００２１】
第一端子電極１１及び第三端子電極１３は、素体１の第一側面１ｃ側に配置されている。第一端子電極１１及び第三端子電極１３は、第一側面１ｃの一部を第一及び第二主面１ａ，１ｂの対向方向に沿って覆うように、第一及び第二主面１ａ，１ｂにわたって形成されている。第一端子電極１１は、第三側面１ｅ側に位置し、第三端子電極１３は、第四側面１ｆ側に位置している。
【００２２】
第二端子電極１２及び第四端子電極１４は、素体１の第二側面１ｄ側に配置されている。第二端子電極１２及び第四端子電極１４は、第二側面１ｄの一部を第一及び第二主面１ａ，１ｂの対向方向に沿って覆うように、第一及び第二主面１ａ，１ｂにわたって形成されている。第二端子電極１２は、第三側面１ｅ側に位置し、第四端子電極１４は、第四側面１ｆ側に位置している。
【００２３】
各端子電極１１〜１４は、導電材（たとえば、Ａｇ又はＰｄなど）を含んでいる。各端子電極１１〜１４は、導電性材料（たとえば、Ａｇ粉末又はＰｄ粉末など）を含む導電性ペーストの焼結体として構成される。各端子電極１１〜１４の表面にはめっき層が形成されている。めっき層は、たとえば電気めっきにより形成される。電気めっきには、Ｃｕ，Ｎｉ，Ｓｎ又はＮｉ，Ｓｎなどが用いられる。
【００２４】
積層コモンモードフィルタＣＦは、図２及び図３に示されるように、第一コイル導体２１、第二コイル導体２２、第三コイル導体２３、第四コイル導体２４、第一引出導体３１、第二引出導体３２、第三引出導体３３、及び第四引出導体３４を、非磁性体部３内に備えている。各導体２１〜２４，３１〜３４は、導電材（たとえば、Ａｇ又はＰｄなど）を含んでいる。各導体２１〜２４，３１〜３４は、導電性材料（たとえば、Ａｇ粉末又はＰｄ粉末など）を含む導電性ペーストの焼結体として構成される。
【００２５】
第一コイル導体２１は、図４にも示されるように、渦巻き状であり、積層方向に隣り合う一対の非磁性体層４の間に配置されている。第一コイル導体２１の一端部（外側端部）２１ａは、第一コイル導体２１と同じ層に位置する第一引出導体３１に接続されている。第一引出導体３１は、端部が第一側面１ｃに露出している。第一引出導体３１は、第一側面１ｃに露出している端部で第一端子電極１１に接続されている。第一コイル導体２１の他端部（内側端部）２１ｂは、第一コイル導体２１と同じ層に位置する第一パッド導体４１に接続されている。
【００２６】
第二コイル導体２２は、図５にも示されるように、渦巻き状であり、積層方向に隣り合う一対の非磁性体層４の間に配置されている。第二コイル導体２２の一端部（外側端部）２２ａは、第二コイル導体２２と同じ層に位置する第二引出導体３２に接続されている。第二引出導体３２は、端部が第二側面１ｄに露出している。第二引出導体３２は、第二側面２ｄに露出している端部で第二端子電極１２に接続されている。第二コイル導体２２の他端部（内側端部）２２ｂは、第二コイル導体２２と同じ層に位置する第二パッド導体４２に接続されている。
【００２７】
第三コイル導体２３は、図６にも示されるように、渦巻き状であり、積層方向に隣り合う一対の非磁性体層４の間に配置されている。第三コイル導体２３の一端部（外側端部）２３ａは、第三コイル導体２３と同じ層に位置する第三引出導体３３に接続されている。第三引出導体３３は、端部が第一側面２ｃに露出している。第三引出導体３３は、第一側面２ｃに露出している端部で第三端子電極１３に接続されている。第三コイル導体２３の他端部（内側端部）２３ｂは、第三コイル導体２３と同じ層に位置する第三パッド導体４３に接続されている。
【００２８】
第四コイル導体２４は、図７にも示されるように、渦巻き状であり、積層方向に隣り合う一対の非磁性体層４の間に配置されている。第四コイル導体２４の一端部（外側端部）２４ａは、第四コイル導体２４と同じ層に位置する第四引出導体３４に接続されている。第四引出導体３４は、端部が第二側面２ｄに露出している。第四引出導体３４は、第二側面２ｄに露出している端部で第四端子電極１４に接続されている。第四コイル導体２４の他端部（内側端部）２４ｂは、第四コイル導体２４と同じ層に位置する第四パッド導体４４に接続されている。
【００２９】
第一コイル導体２１と第三コイル導体２３とが積層方向で非磁性体層４を介して互いに隣り合い、第三コイル導体２３と第二コイル導体２２とが積層方向で非磁性体層４を介して互いに隣り合い、第二コイル導体２２と第四コイル導体２４とが非磁性体層４を介して積層方向で互いに隣り合っている。すなわち、第一〜第四コイル導体２１〜２４は、積層方向において、第一コイル導体２１、第三コイル導体２３、第二コイル導体２２、第四コイル導体２４の順に配置されている。第一〜第四コイル導体２１〜２４は、積層方向から見て、同じ方向に巻き回されていると共に互いに重なり合うように位置している。
【００３０】
第一パッド導体４１と第二パッド導体４２とは、積層方向から見て、互いに重なり合うように位置している。第一パッド導体４１と第二パッド導体４２との間には、第三コイル導体２３と同じ層に位置する第五パッド導体４５が、積層方向から見て、第一及び第二パッド導体４１，４２と互いに重なり合うように配置されている。すなわち、第一パッド導体４１と第五パッド導体４５とが積層方向で非磁性体層４を介して互いに隣り合い、第五パッド導体４５と第二パッド導体４２とが積層方向で非磁性体層４を介して互いに隣り合っている。
【００３１】
第一パッド導体４１と第五パッド導体４５と第二パッド導体４２とは、それぞれ第一スルーホール導体５１を介して接続されている。第一スルーホール導体５１は、第一パッド導体４１と第五パッド導体４５との間に位置する非磁性体層４と、第五パッド導体４５と第二パッド導体４２との間に位置する非磁性体層４と、を貫通している。
【００３２】
第三パッド導体４３と第四パッド導体４４とは、積層方向から見て、互いに重なり合うように位置している。第三パッド導体４３と第四パッド導体４４との間には、第二コイル導体２２と同じ層に位置する第六パッド導体４６が、積層方向から見て、第三及び第四パッド導体４３，４４と互いに重なり合うように配置されている。すなわち、第三パッド導体４３と第六パッド導体４６とが積層方向で非磁性体層４を介して互いに隣り合い、第六パッド導体４６と第四パッド導体４４とが積層方向で非磁性体層４を介して互いに隣り合っている。
【００３３】
第三パッド導体４３と第六パッド導体４６と第四パッド導体４４とは、それぞれ第二スルーホール導体５２を介して接続されている。第二スルーホール導体５２は、第三パッド導体４３と第六パッド導体４６との間に位置する非磁性体層４と、第六パッド導体４６と第四パッド導体４４との間に位置する非磁性体層４と、を貫通している。
【００３４】
第一コイル導体２１と第二コイル導体２２とは、第一パッド導体４１、第五パッド導体４５、第二パッド導体４２、及び第一スルーホール導体５１を通して、電気的に接続されており、第一コイルＣ１を構成している。第三コイル導体２３と第四コイル導体２４とは、第三パッド導体４３、第六パッド導体４６、第四パッド導体４４、及び第二スルーホール導体５２を通して、電気的に接続されており、第二コイルＣ２を構成している。すなわち、積層コモンモードフィルタＣＦは、素体１（非磁性体部３）内に、第一コイルＣ１と第二コイルＣ２を備える。第一コイルＣ１と第二コイルＣ２とは、第一コイル導体２１と第三コイル導体２３とが積層方向で互いに隣り合い且つ第三コイル導体２３と第二コイル導体２２とが積層方向で互いに隣り合い且つ第二コイル導体２２と第四コイル導体２４とが積層方向で互いに隣り合うように、非磁性体部３内に配置されている。
【００３５】
第五及び第六パッド導体４５，４６並びに第一及び第二スルーホール導体５１，５２は、導電材（たとえば、Ａｇ又はＰｄなど）を含んでいる。第五及び第六パッド導体４５，４６並びに第一及び第二スルーホール導体５１，５２は、導電性材料（たとえば、Ａｇ粉末又はＰｄ粉末など）を含む導電性ペーストの焼結体として構成される。第一及び第二スルーホール導体５１，５２は、対応する非磁性体層４を構成することとなるセラミックグリーンシートに形成された貫通孔に充填された導電性ペーストが焼結することにより形成される。
【００３６】
図２及び図４〜図７に示されるように、非磁性体部３における第一コイルＣ１及び第二コイルＣ２の内側に位置する部分Ｒは、積層方向から見て互いに隣り合う第一領域部分Ｒ１と第二領域部分Ｒ２とを含んでいる。非磁性体部３における第一コイルＣ１及び第二コイルＣ２の内側に位置する部分Ｒは、積層方向から見て、素体１の長手方向に延びた形状を呈している。すなわち、上記部分Ｒは、積層方向から見て、第三側面１ｅと第四側面１ｆとの対向方向での長さが、第一側面１ｃと第二側面１ｄとの対向方向での長さよりも長い。
【００３７】
第一スルーホール導体５１と第二スルーホール導体５２とは、積層方向から見て、互いに隣り合うように第一領域部分Ｒ１に位置している。本実施形態では、第五パッド導体４５と第二パッド導体４２とに接続される第一スルーホール導体５１と、第三パッド導体４３と第六パッド導体４６とに接続される第二スルーホール導体５２と、が互いに隣り合うように位置している。第一スルーホール導体５１と第二スルーホール導体５２とは、積層方向から見て、素体１の長手方向、すなわち第三側面１ｅと第四側面１ｆとの対向方向に並ぶように位置している。第一スルーホール導体５１は、積層方向から見て、第二スルーホール導体５２よりも第四側面１ｆ側に位置している。
【００３８】
積層コモンモードフィルタＣＦは、図２〜図７に示されるように、磁性芯部６１を、非磁性体部３内に備えている。磁性芯部６１は、積層方向で互いに隣り合うように配置された複数の磁性体層６３により構成される。各磁性体層６３は、積層方向から見て、互いに重なり合うように配置されている。すなわち、各磁性体層６３は、積層方向で非磁性体層４を介して互いに隣り合っている。磁性体層６３と非磁性体層４とは、磁性芯部６１において、積層方向に交互に位置することとなる。
【００３９】
本実施形態では、一方の磁性体部５と非磁性体部３との間に位置する磁性体層６３（一方の磁性体部５に接している磁性体層６３）を除き、各磁性体層６３は、各コイル導体２１〜２４と同じ層に位置している。磁性芯部６１（磁性体層６３）は、積層方向から見て、第二領域部分Ｒ２に位置している。各磁性体層６３は、積層方向から見て、矩形状を呈している。磁性体層６３は、たとえば磁性材料（Ｎｉ−Ｃｕ−Ｚｎ系フェライト材料、Ｎｉ−Ｃｕ−Ｚｎ−Ｍｇ系フェライト材料、又はＮｉ−Ｃｕ系フェライト材料など）を含むセラミックグリーンシートの焼結体から構成される。
【００４０】
以上のように、本実施形態では、非磁性体部３における第一コイルＣ１及び第二コイルＣ２の内側に位置する部分Ｒは、第一領域部分Ｒ１と第二領域部分Ｒ２とを含んでいる。積層方向から見て、第一スルーホール導体５１と第二スルーホール導体５２とは、互いに隣り合うように第一領域部分Ｒ１に位置し、磁性芯部６１は、第二領域部分Ｒ２に位置している。このため、第一スルーホール導体５１と第二スルーホール導体５２との間の距離が短く、第一スルーホール導体５１と第二スルーホール導体５２とが磁気的に結合し易い。この結果、積層コモンモードフィルタＣＦでは、第一コイルＣ１と第二コイルＣ２との間の磁気結合を高めることができる。
【００４１】
第一スルーホール導体５１と第二スルーホール導体５２とが、同じ工程内で形成される場合には、第一スルーホール導体５１の位置精度と第二スルーホール導体５２との位置精度とが極めて高く確保される。このため、第一スルーホール導体５１と第二スルーホール導体５２との間の距離がより一層短く設定することが可能となり、第一コイルＣ１と第二コイルＣ２との間の磁気結合を更に高めることができる。
【００４２】
素体１は、略直方体形状を呈し、非磁性体部３における第一コイルＣ１及び第二コイルＣ２の内側に位置する部分Ｒは、積層方向から見て、素体１の長手方向に延びた形状を呈しており、第一スルーホール導体５１と第二スルーホール導体５２とは、積層方向から見て、長手方向に並ぶように位置している。これにより、各スルーホール導体５１，５２と各コイル導体２１〜２４との短絡を防ぎつつ、第一スルーホール導体５１と第二スルーホール導体５２とを容易に近づけて配置することができる。この結果、第一コイルＣ１と第二コイルＣ２との間の磁気結合をより一層高めることができる。
【００４３】
第一スルーホール導体５１は、第一コイルＣ１を構成する第一コイル導体２１と第二コイル導体２２とを電気的に接続し且つ第一コイル導体２１と第二コイル導体２２との間に位置することから、第一コイルＣ１の一部として機能する。第二スルーホール導体５２も、第二コイルＣ２を構成する第三コイル導体２３と第四コイル導体２４とを電気的に接続し且つ第三コイル導体２３と第四コイル導体２４との間に位置することから、第二コイルＣ２の一部として機能する。したがって、第一スルーホール導体５１と第二スルーホール導体５２とは、近づけて配置されることにより、互いに磁気的に結合することとなり、第一コイルＣ１と第二コイルＣ２との間の磁気結合の向上に効果的に寄与する。
【００４４】
素体１は、非磁性体部３を積層方向で挟むよう配置された一対の磁性体部５を更に有していている。これにより、第一コイルＣ１と第二コイルＣ２との間の磁気結合をより一層高めることができる。
【００４５】
積層コモンモードフィルタＣＦでは、第二コイル導体２２と第三コイル導体２３とが積層方向で互いに隣り合っている。これにより、第一コイル導体２１と第三コイル導体２３との間及び第二コイル導体２２と第四コイル導体２４との間だけでなく、第二コイル導体２２と第三コイル導体２３との間でも磁気的な結合が図られることとなり、第一コイルＣ１と第二コイルＣ２との間の磁気結合をより一層高めることができる。
【００４６】
以上、本発明の好適な実施形態について説明してきたが、本発明は必ずしも上述した実施形態に限定されるものではなく、その要旨を逸脱しない範囲で様々な変更が可能である。
【００４７】
第一コイルＣ１が二つのコイル導体２１，２２により構成されると共に、第二コイルＣ２が二つのコイル導体２３，２４により構成されているが、これに限られない。たとえば、各コイルＣ１，Ｃ２は、三つ以上のコイル導体により構成されていてもよい。各コイル導体２１〜２４の形状も、図示された形状に限られない。
【００４８】
第一スルーホール導体５１と第二スルーホール導体５２とは、積層方向から見て、素体１の長手方向に並ぶように位置しているが、これに限られない。たとえば、第一スルーホール導体５１と第二スルーホール導体５２とは、積層方向から見て、第一側面１ｃと第二側面１ｄとの対向方向と第三側面１ｅと第四側面１ｆとの対向方向とに交差する方向に並ぶように位置していてもよい。
【００４９】
磁性芯部６１は、積層方向に非磁性体層４を介して配置される複数の磁性体層６３により構成されているが、これに限られない。たとえば、磁性芯部６１は、積層方向に非磁性体層４を介することなく連続して配置される複数の磁性体層６３により構成されていてもよい。各磁性体層６３は、積層方向から見て、矩形状を呈しているがこれに限られない。たとえば、各磁性体層６３は、積層方向から見て、円形状、又は、矩形状以外の多角形状を呈していてもよい。
【００５０】
非磁性体部３における第一コイルＣ１及び第二コイルＣ２の内側に位置する部分Ｒは、積層方向から見て、素体１の長手方向に延びた形状を呈しているがこれに限られない。部分Ｒは、積層方向から見て、第一側面１ｃと第二側面１ｄとの対向方向での長さと、第三側面１ｅと第四側面１ｆとの対向方向での長さと、が同等であってもよい。
【００５１】
第一コイルＣ１と第二コイルＣ２とは、第二コイル導体２２と第三コイル導体２３とが積層方向で互いに隣り合うように、非磁性体部３内に配置されているが、これに限られない。たとえば、第一コイルＣ１と第二コイルＣ２とは、第三コイル導体２３と第四コイル導体２４とが積層方向で互いに隣り合うように、非磁性体部３内に配置されていてもよい。
【符号の説明】
【００５２】
１…素体、３…非磁性体部、５…磁性体部、２１…第一コイル導体、２２…第二コイル導体、２３…第三コイル導体、２４…第四コイル導体、５１…第一スルーホール導体、５２…第二スルーホール導体、６１…磁性芯部、Ｃ１…第一コイル、Ｃ２…第二コイル、ＣＦ…積層コモンモードフィルタ、Ｒ１…第一領域部分、Ｒ２…第二領域部分。
【図１】
2014135361.tif 000003
【図２】
2014135361.tif 000004
【図３】
2014135361.tif 000005
【図４】
2014135361.tif 000006
【図５】
2014135361.tif 000007
【図６】
2014135361.tif 000008
【図７】
2014135361.tif 000009